(57)【要約】【課題】防犯性能を高めたスーツケース用ファスナーを提供する。【解決手段】ケース本体と、このケース本体にヒンジで繋がれ前記ケース本体の開口を塞ぐ蓋体とを主要素とするスーツケースに備えられるスーツケース用ファスナーであって、このスーツケース用ファスナーの帯布２４に、帯布を構成する撚糸３３、３４よりも高い強度の高強度撚糸３５が織り込まれている。【効果】先の尖った刃物で帯布を構成する撚糸３３、３４が切れたとしても、高強度撚糸３５が刃物の横引きを阻止されるため、防犯性能が高まる。【選択図】図５
0003215033.tif 000002
【実用新案登録請求の範囲】
【請求項１】
ケース本体と、このケース本体にヒンジで繋がれ前記ケース本体の開口を塞ぐ蓋体と、この蓋体と前記ケース本体を開閉自在に繋ぐファスナーとを備えているスーツケースにおいて、
前記ファスナーは、一対の帯布と、一方の帯布の一辺に取り付けられた一方のファスナー歯列と、他方の帯布の一辺に取り付けられた他方のファスナー歯列と、前記帯布に沿って移動し前記一方のファスナー歯列に前記他方のファスナー歯列を噛み合わせる又は分離するスライダーとからなり、
前記帯布に、前記帯布を構成する撚糸よりも高い強度の高強度撚糸が織り込まれていることを特徴とするスーツケース。
【請求項２】
請求項１記載のスーツケースであって、
前記高強度撚糸は、格子状を呈するように織り込まれていることを特徴とするスーツケース。
【請求項３】
請求項１又は請求項２記載のスーツケースであって、
前記ケース本体に一方のシール材が設けられ、前記蓋体に他方のシール材が設けられ、この他方のシール材に前記一方のシール材が密接することで防水性を発揮するようにし、
前記一方の帯布は、前記一方のシール材の外側に配置され、前記他方の帯布は、前記他方のシール材の外側に配置され、
前記一方のシール材は、硬質樹脂で構成され、且つ先端が前記一方のファスナー歯列よりも突出するように延ばされていることを特徴とするスーツケース。
【請求項４】
請求項３記載のスーツケースであって、
前記他方のシール材はゴム又は軟質樹脂で構成され、
前記一方のシール材は、前記ケース本体の延長部であることを特徴とするスーツケース。
【請求項５】
ケース本体と、このケース本体にヒンジで繋がれ前記ケース本体の開口を塞ぐ蓋体とを主要素とするスーツケースに備えられるスーツケース用ファスナーであって、
一対の帯布と、一方の帯布の一辺に取り付けられた一方のファスナー歯列と、他方の帯布の一辺に取り付けられた他方のファスナー歯列と、前記帯布に沿って移動し前記一方のファスナー歯列に前記他方のファスナー歯列を噛み合わせる又は分離するスライダーとからなり、
前記帯布に、前記帯布を構成する撚糸よりも高い強度の高強度撚糸が織り込まれていることを特徴とするスーツケース用ファスナー。
【請求項６】
請求項５記載のスーツケース用ファスナーであって、
前記高強度撚糸は、格子状を呈するように織り込まれていることを特徴とするスーツケース用ファスナー。
【考案の詳細な説明】
【技術分野】
【０００１】
本考案は、防犯性能を高めたスーツケース及びスーツケース用ファスナーに関する。
【背景技術】
【０００２】
旅行の多様化に伴って、治安がよくない地域にスーツケースが持ち込まれることがある。この場合は、防犯性能を高めたスーツケースが好まれる。そこで、防犯性能を強化したスーツケースが各種提案されてきた（例えば、特許文献１（図１）参照）。
【０００３】
特許文献１により、防刃防弾鞄が提案される。この防刃防弾鞄は、鞄の内側面に、板状の防刃防弾部材が差し込まれる。この防刃防弾部材が防刃機構や防弾機能を発揮するため、防犯性能を強化した鞄が提供される。
【０００４】
このような防刃防弾鞄は、直線ファスナー（以下、単にファスナーと呼ぶ。）が備えられていて、ファスナーを開けることで、鞄から物品を出し入れする。物品を出し入れした後に、ファスナーが閉じられる。
【０００５】
ファスナーは、防刃防弾部材の保護範囲外にある。ドライバーやカッターナイフなど先の尖った刃物で、ファスナーが破られる心配がある。
鞄やスーツケースの全体的な防犯性の強化が求められる上で、防犯性能を高めたファスナーが必要となる。
【先行技術文献】
【特許文献】
【０００６】
【特許文献１】特開２００３−８８４１６号公報
【考案の概要】
【考案が解決しようとする課題】
【０００７】
本考案は、防犯性能を高めたスーツケース及びスーツケース用ファスナーを提供することを課題とする。
【課題を解決するための手段】
【０００８】
請求項１に係る考案は、ケース本体と、このケース本体にヒンジで繋がれ前記ケース本体の開口を塞ぐ蓋体と、この蓋体と前記ケース本体を開閉自在に繋ぐファスナーとを備えているスーツケースにおいて、
前記ファスナーは、一対の帯布と、一方の帯布の一辺に取り付けられた一方のファスナー歯列と、他方の帯布の一辺に取り付けられた他方のファスナー歯列と、前記帯布に沿って移動し前記一方のファスナー歯列に前記他方のファスナー歯列を噛み合わせる又は分離するスライダーとからなり、
前記帯布に、前記帯布を構成する撚糸よりも高い強度の高強度撚糸が織り込まれていることを特徴とする。
【０００９】
請求項２に係る考案は、請求項１記載のスーツケースであって、
前記高強度撚糸は、格子状を呈するように織り込まれていることを特徴とする。
【００１０】
請求項３に係る考案は、請求項１又は請求項２記載のスーツケースであって、
前記ケース本体に一方のシール材が設けられ、前記蓋体に他方のシール材が設けられ、この他方のシール材に前記一方のシール材が密接することで防水性を発揮するようにし、
前記一方の帯布は、前記一方のシール材の外側に配置され、前記他方の帯布は、前記他方のシール材の外側に配置され、
前記一方のシール材は、硬質樹脂で構成され、且つ先端が前記一方のファスナー歯列よりも突出するように延ばされていることを特徴とする。
【００１１】
請求項４に係る考案は、請求項３記載のスーツケースであって、
前記他方のシール材はゴム又は軟質樹脂で構成され、
前記一方のシール材は、前記ケース本体の延長部であることを特徴とする。
【００１２】
請求項５に係る考案は、ケース本体と、このケース本体にヒンジで繋がれ前記ケース本体の開口を塞ぐ蓋体とを主要素とするスーツケースに備えられるスーツケース用ファスナーであって、
一対の帯布と、一方の帯布の一辺に取り付けられた一方のファスナー歯列と、他方の帯布の一辺に取り付けられた他方のファスナー歯列と、前記帯布に沿って移動し前記一方のファスナー歯列に前記他方のファスナー歯列を噛み合わせる又は分離するスライダーとからなり、
前記帯布に、前記帯布を構成する撚糸よりも高い強度の高強度撚糸が織り込まれていることを特徴とする。
【００１３】
請求項６に係る考案は、請求項５記載のスーツケース用ファスナーであって、
前記高強度撚糸は、格子状を呈するように織り込まれていることを特徴とする。
【考案の効果】
【００１４】
ファスナーでは、帯布がカッターナイフで切り裂かれる恐れがある。
そこで、請求項１に係る考案では、帯布に高強度撚糸を織り込んだ。
このような帯布は、カッターナイフによる突き刺しには抵抗し得ないが、突き刺した後の横引きには抵抗力を発揮する。
【００１５】
請求項２に係る考案では、高強度撚糸は、格子状を呈する。
カッターナイフは、格子の目を貫通したのち、左右、上下何れの方向へ引こうとしても高強度撚糸で横引きが阻止される。
【００１６】
ファスナーの第１の弱点は帯布にあるが、第２の弱点はファスナー歯列にある。すなわち、先が尖ったドライバーやナイフの先でファスナー歯列の嵌合をこじ開けることができる。
そこで、請求項３に係る考案では、ファスナー歯列の下方に、硬質樹脂からなるシール材を配置した。
【００１７】
先が尖ったドライバーやナイフの先が、シール材に当たって止まるため、ファスナー歯列への突き刺し量が不足する。突き刺し量が不足すると、横引き不能となり、ファスナー歯列の破壊に時間が掛かる。よって、請求項３により、帯布に加えて、ファスナー歯列の防犯性能を高めることができる。
【００１８】
加えて、請求項３では、一対のシール材により、ファスナー部分での防水が図れるため、防水仕様のスーツケースが提供される。
【００１９】
請求項４では、一方のシール材をケース本体の延長部としたので、一方のシール材を単品で準備する必要がなく、スーツケースのコストダウンを図ることができる。延長部はケース本体と同じく硬いが、他方のシール材をゴム又は軟質樹脂としたので、シール性能は維持される。
【００２０】
請求項５のスーツケース用ファスナーは、請求項１と同様に、帯布に高強度撚糸を織り込んだ。このような帯布は、カッターナイフによる突き刺しには抵抗し得ないが、突き刺した後の横引きには抵抗力を発揮する。
【００２１】
請求項６のスーツケース用ファスナーは、請求項２と同様に高強度撚糸は、格子状を呈する。カッターナイフは、格子の目を貫通したのち、左右、上下何れに方向にへ引こうとしても高強度撚糸で横引きが阻止される。
【図面の簡単な説明】
【００２２】
【図１】本考案に係るスーツケースの斜視図である。
【図２】スーツケースの正面図である。
【図３】図２の３部拡大図である。
【図４】図３の４−４線断面図であって、スーツケース用ファスナーの断面図である。
【図５】図３の５部拡大図であって、帯布の部分拡大図ある。
【図６】帯布の模式図である。
【図７】スーツケース用ファスナーの防犯性能を説明する図である。
【図８】変更例に係るスーツケース用ファスナーの断面図である。
【図９】更なる変更例に係るスーツケース用ファスナーの断面図である。
【考案を実施するための形態】
【００２３】
本考案の実施の形態を添付図に基づいて以下に説明する。なお、図面は符号の向きに見るものとする。
【実施例】
【００２４】
図１に示すように、スーツケース１０は、ケース本体１１と、このケース本体１１にヒンジ１２で繋がれた蓋体１３と、底に設けたキャスター１４と、ケース本体１１に設けた伸縮ハンドル１５と、非伸縮形のハンドル１６とを備えている。
ケース本体１１及び蓋体１３は、ＰＣ（ポリカーカーボネート）樹脂等を容器状に成形してなる成形体であって、十分な強度及び剛性を有する。
【００２５】
図２に示すように、ケース本体１１と蓋体１３は、ヒンジ１２を除く部位がファスナー２０で繋がれており、ロック部２１からスライダー２２、２３を外し、スライダー２２、２３を互いに離れる方向へ引くことで、ケース本体１１に対して蓋体１３を開くことができる。
【００２６】
図３は図２の３部拡大図である。
ファスナー２０の詳細構造は図４で説明するが、ファスナー２０は、図３に示すように、チャンネル３０を介してケース本体１１に連結されると共に、別のチャンネル３０を介して蓋体１３に連結されている。
【００２７】
図４に示すように、ファスナー２０は、図面表裏方向へ延びる一対の帯布２４、２５と、これらの帯布２４、２５の一端にかしめ法等で取付けられたファスナー歯列２６、２７と、ファスナー歯列２６、２７を噛み合い状態から分離状態又は分離状態から噛み合い状態にするスライダー２２、２３とからなる。
帯布２４、２５の他端は、チャンネル３０、３０と共にケース本体１１や蓋体１３に糸３１、３１で縫製される。
【００２８】
図５に示すように、帯布２４は、タテ糸３３にヨコ糸３４を織ってなる織布である。すなわち、タテ糸３３及びヨコ糸３４は、帯布２４を構成する撚糸である。
タテ糸３３及びヨコ糸３４は、天然繊維又は化学繊維の撚糸であり、通常のスーツケース用ファスナーに使用される糸であれば種類は問わない。
そして、数十本〜数百本のタテ糸３３に１本の割合で、高強度撚糸３５を織り込む。数十本〜数百本のヨコ糸３４に１本の割合で、高強度撚糸３５を織り込む。
【００２９】
図示は省略したが、帯布２５にも、帯布２４と同じく、高強度撚糸３５を織り込む。
高強度撚糸３５は、格子状に織り込まれる。格子は菱形、矩形、亀甲形の何れでもよい。
【００３０】
高強度撚糸３５は、通常のスーツケース用ファスナーに使用される撚糸よりも十分に高い強度の撚糸である。具体的には、高強度撚糸３５は、極く細い金属線（鉄線、アルミ線、銅線、ステンレス鋼線）を撚って得た撚糸が好適である。また、高強度撚糸３５は、アラミド繊維糸や炭素繊維糸やグラスフィバーを撚って得た撚糸でもよい。
【００３１】
高強度撚糸３５は、普通の天然繊維又は化学繊維の撚糸より格段に高価である。仮に、帯布２４を高強度撚糸３５だけで織ったとすると、この帯布２４は極めて高価なものとなる。
本考案では、大部分を安価な天然繊維又は化学繊維の撚糸で構成し、これに少しの高強度撚糸３５を織り込んだ。そのため、本考案の帯布２４は、コストアップが抑制される。
【００３２】
図６（模式図であって、ヨコ糸３４は一部を示した。）に示すように、タテ糸３３にヨコ糸３４が波状に絡められおり、高強度撚糸３５も同様に、タテ糸３３又はヨコ糸３４に波状に絡められている。
高強度撚糸３５に、帯布２４の面に平行な力Ｆが外から加わると、周囲のタテ糸３３及びヨコ糸３４が高強度撚糸３５の移動を阻止する。よって、高強度撚糸３５は容易には移動しない。
【００３３】
以上の構成からなる帯布２４の防犯性能を、図７に基づいて説明する。
図７（ａ）に示すように、先が尖った刃物の一種であるカッターナイフ３７を、帯布２４に突き差した場合を検討する。
図７（ｂ）に示すように、カッターナイフ３７は、格子状の高強度撚糸３５、３５の目３８に突き刺さる。この目３８の部分は低強度の天然繊維又は化学繊維の撚糸で構成されるため、カッターナイフ３７に対する抗力はない。突き刺したカッターナイフ３７を、矢印（１）のように横引きしようとすると、カッターナイフ３７は高強度撚糸３５、３５で阻止される。
【００３４】
本考案の帯布２４は、カッターナイフ３７の突き刺しには抗力は乏しいが、横引きには十分な抵抗力を有する。結果、帯布２４は、引き裂かれる心配はなく、十分な防犯性能を具備する。
【００３５】
高強度撚糸３５は、図５で説明したように格子状に配置することが望まれる。しかし、図３に示すように、帯布２４の露出部位が細い帯である場合は、図面横方向（チャンネル３０の長手方向に直交する方向）に延びるように高強度撚糸３５を平行に配置することでも目的が達成される。
すなわち、高強度撚糸３５は、好ましくは格子状に配置されるが、単純な平行配置であってもよい。
【００３６】
次に、本考案に係る変更例を、図８に基づいて説明する。
図８（ａ）に示すように、ケース本体１１に一方のシール材４１が設けられ、蓋体１３に他方のシール材４２が設けられている。
一方の帯布２４は、一方のシール材４１の外側に配置され、他方の帯布２４は、他方のシール材４２の外側に配置されている。
そして、一方のシール材４１は、先端が一方のファスナー歯列２６よりも距離Ｌだけ突出するように延ばされていることを構造的な特長とする。
【００３７】
一方のシール材４１は、硬質樹脂で構成される。他方のシール材４２は硬質樹脂、軟質樹脂、ゴムの何れであってもよい。硬質樹脂は、高圧弁のシール材に採用される４フッ化エチレンが好適である。４フッ化エチレンは、高温、高圧に耐えるような高強度を有する硬質樹脂である。
【００３８】
図８（ａ）にて、帯布２５にカッターナイフ３７が当てられても、図７（ｂ）で説明したように、防犯性が発揮される。
図８（ｂ）に示すように、噛み合っているファスナー歯列２６、２７にドライバー４３が差し込まれるケースを検討する。
仮に、ファスナー歯列２６、２７の下に物が無くって、ドライバー４３が十分に差し込まれるときが危険である。すなわち、ドライバー４３を図面表裏方向へ横引きすると多数のファスナー歯列２６、２７が短時間で分離されるから、防犯性能は乏しくなる。
【００３９】
対して、本考案では、一方のファスナー歯列２６の下に一方のシール材４１が存在する。
図８（ｂ）において、ドライバー４３を突き刺すと、このドライバー４３に押されて帯布２４、２５が撓み、ファスナー歯列２６、２７はシール材４１に載る（図８（ｃ））。
【００４０】
図８（ｃ）では、ドライバー４３の先が僅かにファスナー歯列２６、２７に刺さっているだけである。突き刺し量が僅かであるため、図面表から裏へドライバー４３を引いたとしても、ドライバー４３がファスナー歯列２６、２７から上へ抜ける。
すなわち、数個のファスナー歯列２６、２７を壊す（分離する）ことはできるものの、多数個のファスナー歯列２６、２７を短時間で分離することはできない。よって、十分な防犯性能が発揮される。
【００４１】
図８（ｂ）に示すように、ファスナー歯列２６をファスナー歯列２７に噛み合わせたときに、一方のシール材４１に他方のシール材４２を密接させることで、防水性能が発揮される。すなわち、雨水が帯布２４、２５やファスナー歯列２６、２７を通過しても、一方・他方のシール材４１、４２で遮断（遮水）することができる。
この変更例によるスーツケース１０は、防水性能と防犯性能を有することとなり、付加価値が高まる。
【００４２】
次に、本考案に係る更なる変更例を、図９に基づいて説明する。
図９（ａ）に示すように、一方のシール材４１を、ケース本体１１の延長部４５で代用したことを構造的な特長とする。これにより、図８（ａ）に示す一方のシール材４１の単品を省くことができ、スーツケース１０のコストアップを抑制することができる。ただし、延長部４５は硬いので、他方のシール材４２をゴム又は軟質樹脂として防水性能を維持することとする。その他の構成要素は図８（ａ）と同じであるため、図８（ａ）の符号を流用し、詳細な説明は省略する。
【００４３】
図９（ｂ）に示すように、ドライバー４３は硬い延長部４５で阻止される。他方のシール材４２が十分に弾性変形するため、防水性能が発揮される。
【００４４】
なお、スライダー２２、２３は、スライダー２３を省いて、１個のスライダー２２で一対のファスナー歯列２６、２７を、噛み合わせる又は分離させるものであってもよい。
また、スーツケース１０は、角形カバン、トランクを含む広義のスーツケースである。
【産業上の利用可能性】
【００４５】
本考案は、治安の問題が想定される地域に用いるスーツケースに好適である。
【符号の説明】
【００４６】
１０…スーツケース、１１…ケース本体、１２…ヒンジ、１３…蓋体、２０…ファスナー（スーツケース用ファスナー）、２２、２３…スライダー、２４…一方の帯布、２５…他方の帯布、２６…一方のファスナー歯列、２７…他方のファスナー歯列、３３…帯布を構成する撚糸（タテ糸）、３４…帯布を構成する撚糸（ヨコ糸）、３５…高強度撚糸、４１…一方のシール材、４２…他方のシール材。
【図１】
0003215033.tif 000003
【図２】
0003215033.tif 000004
【図３】
0003215033.tif 000005
【図４】
0003215033.tif 000006
【図５】
0003215033.tif 000007
【図６】
0003215033.tif 000008
【図７】
0003215033.tif 000009
【図８】
0003215033.tif 000010
【図９】
0003215033.tif 000011